(57)【特許請求の範囲】
【請求項１】
暖房装置であって、
熱媒の熱を利用して暖房する暖房端末と、
ヒートポンプを熱源として熱媒を加熱する第１加熱手段と、
燃焼装置を熱源として熱媒を加熱する第２加熱手段と、
暖房端末と第１加熱手段と第２加熱手段の間で熱媒を循環させる熱媒循環路と、
暖房端末に流入する熱媒の温度を検出する熱媒温度センサと、
暖房設定温度を設定する設定手段と、
制御手段と、
を備え、
制御手段は、
燃焼装置が停止しており、熱媒温度センサでの測定温度が暖房設定温度より低い第１点火温度以下である場合に、燃焼装置を作動させ、
燃焼装置が作動しており、熱媒温度センサでの測定温度が暖房設定温度より高い第１消火温度以上である場合に、燃焼装置を停止させ、
燃焼装置が作動しており、第２消火温度と第１所定期間の複数の組み合わせの何れかにおいて、熱媒温度センサでの測定温度が第２消火温度を上回る状態が第１所定期間続いた場合に、燃焼装置を停止させるように構成されており、
第２消火温度は、暖房設定温度以上であって、第１消火温度よりも低い温度に設定されており、
第２消火温度と第１所定期間の複数の組み合わせは、第２消火温度が低いほど第１所定期間が長くなるように設定されている、暖房装置。
【請求項２】
制御手段はさらに、
燃焼装置が停止しており、第２点火温度と第２所定期間の複数の組み合わせの何れかにおいて、熱媒温度センサでの測定温度が第２点火温度を下回る状態が第２所定期間続いた場合に、燃焼装置を作動させるように構成されており、
第２点火温度は、暖房設定温度以下であって、第１点火温度よりも高い温度に設定されており、
第２点火温度と第２所定期間の複数の組み合わせは、第２点火温度が高いほど第２所定期間が長くなるように設定されている、請求項１の暖房装置。
【発明の詳細な説明】
【技術分野】
【０００１】
本明細書で開示する技術は、暖房装置に関する。
【背景技術】
【０００２】
特許文献１に、暖房装置が開示されている。この暖房装置は、熱媒の熱を利用して暖房する暖房端末と、ヒートポンプを熱源として熱媒を加熱する第１加熱手段と、燃焼装置を熱源として熱媒を加熱する第２加熱手段と、暖房端末と第１加熱手段と第２加熱手段の間で熱媒を循環させる熱媒循環路と、暖房端末に流入する熱媒の温度を検出する熱媒温度センサと、暖房設定温度を設定する設定手段と、制御手段と、を備えている。この暖房装置において、制御手段は、燃焼装置が停止しており、熱媒温度センサでの測定温度が暖房設定温度より低い第１点火温度以下である場合に、燃焼装置を作動させ、燃焼装置が作動しており、熱媒温度センサでの測定温度が暖房設定温度より高い第１消火温度以上である場合に、燃焼装置を停止させるように構成されている。
【０００３】
上記の暖房装置では、第１加熱手段のみで熱媒を加熱する非燃焼暖房運転と、第１加熱手段と第２加熱手段の両方で熱媒を加熱する燃焼暖房運転が実行可能である。上記の暖房装置では、非燃焼暖房運転を行っている時に、ヒートポンプによる加熱量が暖房端末での放熱量を下回っていると、熱媒温度センサでの熱媒の測定温度が徐々に低下していく。そして、熱媒の測定温度が暖房設定温度より低い第１点火温度以下まで低下すると、暖房装置の動作は非燃焼暖房運転から燃焼暖房運転に切り換わる。また、上記の暖房装置では、燃焼暖房運転を行っている時に、ヒートポンプと燃焼装置による加熱量が暖房端末での放熱量を上回っていると、熱媒温度センサでの熱媒の測定温度が上昇していく。そして、熱媒の測定温度が暖房設定温度より高い第１消火温度以上まで上昇すると、暖房装置の動作は燃焼暖房運転から非燃焼暖房運転に切り換わる。上記の暖房装置によれば、暖房端末での放熱量とヒートポンプおよび燃焼装置の加熱量のバランスに応じて、非燃焼暖房運転と燃焼暖房運転を切り換えることができる。
【先行技術文献】
【特許文献】
【０００４】
【特許文献１】特開２０１４−４８０３５号公報
【発明の概要】
【発明が解決しようとする課題】
【０００５】
暖房装置が燃焼暖房運転を行っている時に、熱媒の温度が暖房設定温度よりも高いにも関わらず、暖房端末での放熱量とヒートポンプおよび燃焼装置の加熱量がつりあって、第１消火温度よりも低い温度で熱媒の温度が安定してしまうことがある。このような状態を高温安定状態ともいう。高温安定状態となってしまうと、暖房端末には暖房設定温度よりも高温の熱媒が供給され続けているにも関わらず、燃焼暖房運転から非燃焼暖房運転への切り換えが行われない状態になってしまう。
【０００６】
本明細書では、上記課題を解決する技術を提供する。本明細書では、熱媒の測定温度に応じて非燃焼暖房運転と燃焼暖房運転を切り換える暖房装置において、高温安定状態を速やかに解消することが可能な技術を提供する。
【課題を解決するための手段】
【０００７】
本明細書が開示する技術は、暖房装置に具現化される。この暖房装置は、熱媒の熱を利用して暖房する暖房端末と、ヒートポンプを熱源として熱媒を加熱する第１加熱手段と、燃焼装置を熱源として熱媒を加熱する第２加熱手段と、暖房端末と第１加熱手段と第２加熱手段の間で熱媒を循環させる熱媒循環路と、暖房端末に流入する熱媒の温度を検出する熱媒温度センサと、暖房設定温度を設定する設定手段と、制御手段と、を備えている。制御手段は、燃焼装置が停止しており、熱媒温度センサでの測定温度が暖房設定温度より低い第１点火温度以下である場合に、燃焼装置を作動させ、燃焼装置が作動しており、熱媒温度センサでの測定温度が暖房設定温度より高い第１消火温度以上である場合に、燃焼装置を停止させ、燃焼装置が作動しており、第２消火温度と第１所定期間の複数の組み合わせの何れかにおいて、熱媒温度センサでの測定温度が第２消火温度を上回る状態が第１所定期間続いた場合に、燃焼装置を停止させるように構成されている。第２消火温度は、暖房設定温度以上であって、第１消火温度よりも低い温度に設定されている。第２消火温度と第１所定期間の複数の組み合わせは、第２消火温度が低いほど第１所定期間が長くなるように設定されている。
【０００８】
上記の暖房装置では、熱媒の測定温度が第１消火温度まで上昇していなくても、第１消火温度よりも低い第２消火温度を上回る状態が第１所定期間継続したときに、燃焼暖房運転から非燃焼暖房運転への切り換えを行う。このような構成とすることによって、高温安定状態を速やかに解消することができる。
【０００９】
上記の暖房装置は、制御手段がさらに、燃焼装置が停止しており、第２点火温度と第２所定期間の複数の組み合わせの何れかにおいて、熱媒温度センサでの測定温度が第２点火温度を下回る状態が第２所定期間続いた場合に、燃焼装置を作動させるように構成されており、第２点火温度が、暖房設定温度以下であって、第１点火温度よりも高い温度に設定されており、第２点火温度と第２所定期間の複数の組み合わせが、第２点火温度が高いほど第２所定期間が長くなるように設定されているように構成することができる。
【００１０】
暖房装置が非燃焼暖房運転を行っている間に、熱媒の温度が暖房設定温度よりも低いにも関わらず、暖房端末での放熱量とヒートポンプの加熱量がつりあって、第１点火温度よりも高い温度で熱媒の温度が安定してしまうことがある。このような状態を低温安定状態ともいう。低温安定状態となってしまうと、暖房端末には暖房設定温度よりも低温の熱媒が供給され続けているにも関わらず、非燃焼暖房運転から燃焼暖房運転への切り換えが行われない状態になってしまう。上記の暖房装置によれば、熱媒の測定温度が第１点火温度まで低下していなくても、第１点火温度よりも高い第２点火温度を下回る状態が第２所定期間継続したときに、非燃焼暖房運転から燃焼暖房運転への切り換えを行う。このような構成とすることによって、低温安定状態を速やかに解消することができる。
【発明の効果】
【００１１】
本明細書が開示する技術によれば、熱媒の測定温度に応じて非燃焼暖房運転と燃焼暖房運転を切り換える暖房装置において、高温安定状態を速やかに解消することができる。
【図面の簡単な説明】
【００１２】
【図１】実施例の暖房装置１０の構成を示す図。
【図２】実施例の暖房装置１０においてコントローラ１００が実行する処理を示すフローチャート。
【発明を実施するための形態】
【００１３】
（実施例）
図面を参照して、実施例の暖房装置１０について説明する。図１に示すように、暖房装置１０は、主に、ヒートポンプユニット１２と、燃焼ユニット５０と、暖房端末６０と、コントローラ１００を備えている。ヒートポンプユニット１２は、ヒートポンプ２０と、タンク３０を有している。燃焼ユニット５０は、燃焼装置５２を有している。暖房装置１０は、概して、ヒートポンプ２０と燃焼装置５２のそれぞれを熱源として、それらの熱源によって発生した熱を、熱媒（例えば水または不凍液）を介して暖房端末６０に供給する構成となっている。
【００１４】
ヒートポンプ２０は、大気からの採熱によって熱媒を加熱する。タンク３０は、熱媒を貯める密閉容器であって、ヒートポンプ２０が発生する熱を貯める蓄熱容器である。ヒートポンプ２０とタンク３０は、蓄熱用循環経路２２を介して互いに接続されている。蓄熱用循環経路２２は、ヒートポンプ２０とタンク３０との間で熱媒を循環させる管路である。蓄熱用循環経路２２には、蓄熱用ポンプ２４が設けられている。タンク３０内の熱媒は、ヒートポンプ２０に送られ、加熱されて、再びタンク３０に戻される。それにより、ヒートポンプ２０の発生する熱が、タンク３０に貯えられる。ヒートポンプ２０と蓄熱用ポンプ２４は、コントローラ１００と電気的に接続されており、その動作はコントローラ１００によって制御される。
【００１５】
タンク３０には、高さ方向に沿って、複数のタンク温度センサ３４が設けられている。各々のタンク温度センサ３４は、それぞれの高さ位置において、タンク３０内の熱媒の温度を測定する。複数のタンク温度センサ３４は、コントローラ１００と電気的に接続されており、それらの出力信号はコントローラ１００へ入力される。コントローラ１００は、複数のタンク温度センサ３４の出力信号に基づいて、タンク３０に貯められた熱量を把握することができる。タンク温度センサ３４には、一例ではあるが、サーミスタを採用することができる。
【００１６】
タンク３０に貯められた熱は、暖房用循環経路３２によって暖房端末６０に供給される。暖房用循環経路３２は、タンク３０と暖房端末６０との間で熱媒を循環させる管路である。暖房用循環経路３２は、タンク３０から燃焼ユニット５０を経由して暖房端末６０へ熱媒を送る往路３２ａ、３２ｂと、暖房端末６０からタンク３０へ熱媒を戻す復路３２ｃを有している。なお、往路３２ａ、３２ｂのうち、燃焼装置５２よりも上流の部分を上流往路３２ａと称し、燃焼装置５２よりも下流の部分を下流往路３２ｂと称することがある。タンク３０内の熱媒は、暖房用循環経路３２の往路３２ａ、３２ｂを通って暖房端末６０に送られ、暖房端末６０において放熱した後に、暖房用循環経路３２の復路３２ｃを通ってタンク３０に戻される。
【００１７】
暖房用循環経路３２には、バイパス経路３６が設けられている。バイパス経路３６は、暖房用循環経路３２の復路３２ｃから分岐して、暖房用循環経路３２の上流往路３２ａに合流する管路である。バイパス経路３６は、暖房端末６０からの熱媒を、タンク３０を経由することなく（即ち、バイパスして）、燃焼ユニット５０に送ることができる。バイパス経路３６の分岐位置３６ｂには、調整弁３８が設けられている。調整弁３８は、電動式三方弁の一種であり、タンク３０側とバイパス経路３６側との流量比を調整することができる。調整弁３８は、コントローラ１００と電気的に接続されており、その動作はコントローラ１００によって制御される。コントローラ１００は、調整弁３８を制御することよって、タンク３０（及びヒートポンプ２０）から暖房端末６０へ供給される熱量を調整することができる。
【００１８】
暖房用循環経路３２の上流往路３２ａには、第１熱媒温度センサ４０が設けられている。なお、第１熱媒温度センサ４０は、バイパス経路３６の合流位置３６ａよりも下流に位置している。第１熱媒温度センサ４０は、暖房用循環経路３２を流れる熱媒、特に、燃焼ユニット５０に流入する熱媒の温度を測定する。なお、燃焼装置５２の運転が停止中であれば、第１熱媒温度センサ４０による測定温度は、暖房端末６０に供給される熱媒の温度に実質的に等しくなる。よって、後述するように、燃焼装置５２の運転停止中は、第１熱媒温度センサ４０が、暖房端末６０に供給される熱媒の温度を測定する温度センサとして利用される。第１熱媒温度センサ４０は、コントローラ１００と電気的に接続されており、その出力信号はコントローラ１００へ入力される。第１熱媒温度センサ４０には、一例ではあるが、サーミスタを採用することができる。
【００１９】
燃焼ユニット５０の燃焼装置５２は、可燃性ガス（例えば都市ガス又はプロパンガス）を燃焼して、熱媒を加熱する。燃焼装置５２は、可燃性ガスを燃焼させるバーナ５２ａと、バーナ５２ａによる燃焼熱によって熱媒を加熱する顕熱熱交換機５２ｂと、バーナ５２ａによる排気ガスを凝縮させることによって熱媒を加熱する潜熱熱交換機５２ｃを備えている。顕熱熱交換機５２ｂと潜熱熱交換機５２ｃは一連に接続されており、熱媒は、先ず潜熱熱交換機５２ｃにおいて加熱され、その後に顕熱熱交換機５２ｂにおいてさらに加熱される。燃焼装置５２の出力は、コントローラ１００によって、段階的に調節可能となっている。以下では、燃焼装置５２の運転を停止した状態で行う暖房運転を非燃焼暖房運転ともいい、燃焼装置５２が運転している状態で行う暖房運転を燃焼暖房運転ともいう。
【００２０】
燃焼ユニット５０には、暖房用ポンプ５４と第２熱媒温度センサ５６が設けられている。暖房用ポンプ５４は、暖房用循環経路３２上に配置されており、暖房用ポンプ５４が運転されると、暖房用循環経路３２を通じて暖房端末６０に熱媒が送られる。暖房用ポンプ５４は、コントローラ１００と電気的に接続されており、その動作はコントローラ１００によって制御される。
【００２１】
第２熱媒温度センサ５６は、暖房用循環経路３２の下流往路３２ｂに設けられており、燃焼装置５２から流出する熱媒の温度を測定する。第２熱媒温度センサ５６による測定温度は、暖房端末６０に供給される熱媒の温度に実質的に等しい。よって、後述するように、燃焼装置５２の運転中は、第２熱媒温度センサ５６が、暖房端末６０に供給される熱媒の温度を測定する温度センサとして利用される。第２熱媒温度センサ５６は、コントローラ１００と電気的に接続されており、その出力信号はコントローラ１００へ入力される。第２熱媒温度センサ５６には、一例ではあるが、サーミスタを採用することができる。
【００２２】
暖房端末６０は、暖房箇所に配置され、熱媒を放熱させることによって暖房を行う。暖房端末６０は、例えば、床暖房パネル、パネルヒータ、コンベクターヒータ、浴室暖房機、ファンヒータである。本実施例の暖房装置１０は、一つに限られず、複数の暖房端末６０を備えることができる。
【００２３】
コントローラ１００は、ＣＰＵ、ＲＯＭ、ＲＡＭ等を備えている。ＲＯＭには各種の運転プログラムが格納されている。ＲＡＭには、コントローラ１００に入力される各種信号や、ＣＰＵが処理を実行する過程で生成される種々のデータが一時的に記憶される。コントローラ１００では、ＣＰＵがＲＯＭやＲＡＭに記憶された情報に基づいて、暖房装置１０の各構成要素の動作を制御する。また、コントローラ１００には、図示しないリモコンが接続されている。リモコンは、スイッチやボタン等を介して、ユーザからの各種の操作入力を受け入れるとともに、表示や音声によってユーザに暖房装置１０の設定や動作に関する各種の情報を通知する。本実施例では、ユーザはリモコンを介して、暖房運転の際に暖房端末６０に供給される熱媒の温度を、暖房設定温度として設定することができる。なお、暖房設定温度の設定は、リモコンからの入力に限られず、例えばコントローラ１００に予め記憶されている所定の温度値を暖房設定温度として用いてもよい。
【００２４】
図２は、ユーザによって暖房運転の開始が指示されたときに、コントローラ１００が実行する処理を示すフローチャートである。
【００２５】
ステップＳ２では、コントローラ１００は、ヒートポンプ２０と蓄熱用ポンプ２４の運転を開始する。これによって、タンク３０とヒートポンプ２０の間で、熱媒の循環加熱が開始される。
【００２６】
ステップＳ４では、コントローラ１００は、暖房用ポンプ５４の運転を開始する。これによって、非燃焼暖房運転が開始される。非燃焼暖房運転では、ヒートポンプ２０により加熱され、タンク３０に貯められた熱媒が、暖房端末６０へ供給される。
【００２７】
ステップＳ６では、コントローラ１００は、第１熱媒温度センサ４０での熱媒の測定温度と、暖房設定温度に基づいて、調整弁３８を制御する。例えば、コントローラ１００は、熱媒の測定温度が暖房設定温度よりも高ければ、バイパス経路３６側への流量が多くなるように調整弁３８の開度を調整し、熱媒の測定温度が目標温度よりも低ければ、タンク３０側への流量が多くなるように調整弁３８の開度を調整する。
【００２８】
ステップＳ８では、コントローラ１００は、第１熱媒温度センサ４０での熱媒の測定温度が第１点火温度以下であるか否かを判断する。第１点火温度は、暖房設定温度よりも低い温度であり、例えば暖房設定温度から第１の所定温度幅（例えば１０℃）を減算した温度である。熱媒の測定温度が第１点火温度以下である場合（ステップＳ８でＹＥＳの場合）、コントローラ１００は非燃焼暖房運転から燃焼暖房運転への切り換えが必要と判断して、処理はステップＳ１４へ進む。熱媒温度が第１点火温度を超えている場合（ステップＳ８でＮＯの場合）、処理はステップＳ１０へ進む。
【００２９】
ステップＳ１０では、コントローラ１００は、第１熱媒温度センサ４０での熱媒の測定温度が第２点火温度を下回る状態が所定期間（例えば３０分）継続しているか否かを判断する。第２点火温度は、暖房設定温度以下であって、第１点火温度よりも高い温度である。例えば、第２点火温度は、暖房設定温度から第１の所定温度幅よりも小さい第２の所定温度幅（例えば５℃）を減算した温度であってもよいし、暖房設定温度に等しくてもよい。熱媒の測定温度が第２点火温度を下回る状態が所定期間継続している場合（ステップＳ１０でＹＥＳの場合）、コントローラ１００は非燃焼暖房運転から燃焼暖房運転への切り換えが必要と判断して、処理はステップＳ１４へ進む。それ以外の場合（ステップＳ１０でＮＯの場合）、コントローラ１００は非燃焼暖房運転から燃焼暖房運転への切り換えは不要と判断して、処理はステップＳ１２へ進む。
【００３０】
ステップＳ１２では、コントローラ１００は、ユーザによって暖房運転の終了が指示された否かを判断する。暖房運転の終了が指示された場合（ステップＳ１２でＹＥＳの場合）、処理はステップＳ２８へ進む。暖房運転の終了が指示されていない場合（ステップＳ１２でＮＯの場合）、処理はステップＳ６へ戻る。
【００３１】
ステップＳ１４では、コントローラ１００は、燃焼装置５２の運転を開始する。これによって、非燃焼暖房運転から燃焼暖房運転への切り換えが行われる。燃焼暖房運転では、タンク３０及びヒートポンプ２０からの熱媒が、燃焼装置５２によってさらに加熱されてから、暖房端末６０に供給される。
【００３２】
ステップＳ１６では、コントローラ１００は、第２熱媒温度センサ５６での熱媒の測定温度と、暖房設定温度に基づいて、燃焼装置５２の出力を調整する。例えば、コントローラ１００は、熱媒の測定温度が暖房設定温度よりも高ければ、燃焼装置５２の出力を小さくし、熱媒の測定温度が暖房設定温度よりも低ければ、燃焼装置５２の出力を大きくする。なお、ステップＳ１６において、コントローラ１００は、さらに調整弁３８の開度を調整してもよい。
【００３３】
ステップＳ１８では、コントローラ１００は、第２熱媒温度センサ５６での熱媒の測定温度が第１消火温度以上であるか否かを判断する。第１消火温度は、暖房設定温度よりも高い温度であり、例えば暖房設定温度に第３の所定温度幅（例えば１０℃）を加算した温度である。熱媒の測定温度が第１消火温度以上である場合（ステップＳ１８でＹＥＳの場合）、コントローラ１００は燃焼暖房運転から非燃焼暖房運転への切り換えが必要と判断して、処理はステップＳ２２へ進む。熱媒の測定温度が第１消火温度に満たない場合（ステップＳ１８でＮＯの場合）、処理はステップＳ２０へ進む。
【００３４】
ステップＳ２０では、コントローラ１００は、第２熱媒温度センサ５６での熱媒の測定温度が第２消火温度を上回る状態が所定期間（例えば３０分）継続しているか否かを判断する。第２消火温度は、暖房設定温度以上であって、第１消火温度よりも低い温度である。例えば、第２消火温度は、暖房設定温度に第３の所定温度幅よりも小さい第４の所定温度幅（例えば５℃）を加算した温度であってもよいし、暖房設定温度に等しくてもよい。熱媒の測定温度が第２消火温度を上回る状態が所定期間継続している場合（ステップＳ２０でＹＥＳの場合）、コントローラ１００は燃焼暖房運転から非燃焼暖房運転への切り換えが必要と判断して、処理はステップＳ２２へ進む。それ以外の場合（ステップＳ２０でＮＯの場合）、コントローラ１００は燃焼暖房運転から非燃焼暖房運転への切り換えは不要と判断して、処理はステップＳ２４へ進む。
【００３５】
ステップＳ２２では、コントローラ１００は、燃焼装置５２の運転を終了する。これによって、燃焼暖房運転から非燃焼暖房運転への切り換えが行われる。ステップＳ２２の後、処理はステップＳ１２へ進む。
【００３６】
ステップＳ２４では、コントローラ１００は、ユーザによって暖房運転の終了が指示されたか否かを判断する。暖房運転の終了が指示された場合（ステップＳ２４でＹＥＳの場合）、処理はステップＳ２６へ進む。暖房運転の終了が指示されていない場合（ステップＳ２４でＮＯの場合）、処理はステップＳ１６へ戻る。
【００３７】
ステップＳ２６では、コントローラ１００は、燃焼装置５２の運転を終了する。ステップＳ２６の後、処理はステップＳ２８へ進む。
【００３８】
ステップＳ２８では、コントローラ１００は、暖房用ポンプ５４の運転を終了する。
【００３９】
ステップＳ３０では、コントローラ１００は、ヒートポンプ２０と蓄熱用ポンプ２４の運転を終了する。
【００４０】
暖房装置１０では、非燃焼暖房運転を行っている時に、ヒートポンプ２０による加熱量が暖房端末６０での放熱量を下回っていると、第１熱媒温度センサ４０での熱媒の測定温度が徐々に低下していく。そして、熱媒の測定温度が暖房設定温度より低い第１点火温度以下まで低下すると、非燃焼暖房運転から燃焼暖房運転に切り換わる。また、暖房装置１０では、燃焼暖房運転を行っている時に、ヒートポンプ２０と燃焼装置５２による加熱量が暖房端末６０での放熱量を上回っていると、第２熱媒温度センサ５６での熱媒の測定温度が上昇していく。そして、熱媒の測定温度が暖房設定温度より高い第１消火温度以上まで上昇すると、燃焼暖房運転から非燃焼暖房運転に切り換わる。このように、本実施例の暖房装置１０によれば、暖房端末６０での放熱量とヒートポンプ２０および燃焼装置５２の加熱量のバランスに応じて、非燃焼暖房運転と燃焼暖房運転を切り換えることができる。
【００４１】
暖房装置１０が燃焼暖房運転を行っている間に、熱媒の温度が暖房設定温度よりも高いにも関わらず、暖房端末６０での放熱量とヒートポンプ２０および燃焼装置５２の加熱量がつりあって、第１消火温度よりも低い温度で熱媒の温度が安定してしまうことがある。このような状態は、燃焼装置５２の出力を最小出力まで低下させた状態で、暖房端末６０での放熱量とヒートポンプ２０および燃焼装置５２の加熱量がつりあった場合に起こり得る。このような状態を高温安定状態ともいう。高温安定状態となってしまうと、暖房端末６０には暖房設定温度よりも高温の熱媒が供給され続けているにも関わらず、燃焼暖房運転から非燃焼暖房運転への切り換えが行われない状態になってしまう。そこで、本実施例の暖房装置１０では、熱媒の測定温度が第１消火温度まで上昇していなくても、第１消火温度よりも低い第２消火温度を上回る状態が所定期間継続したときに、燃焼暖房運転から非燃焼暖房運転への切り換えを行う。このような構成とすることによって、高温安定状態を速やかに解消することができる。
【００４２】
なお、ステップＳ２０において、コントローラ１００が、第２消火温度と所定期間の複数の組み合わせを用いて、燃焼暖房運転から非燃焼暖房運転へ切り換えるか否かの判断を行ってもよい。この場合、第２消火温度が低いほど所定期間が長くなるように、第２消火温度と所定期間の複数の組み合わせを設定しておくことができる。例えば、ステップＳ２０において、コントローラ１００が、第２消火温度を暖房設定温度に５℃を加算した値とし、所定期間を３０分として、熱媒の測定温度が第２消火温度上回る状態が所定期間継続しているか否かを判定し、さらに第２消火温度を暖房設定温度に３℃加算した値とし、所定期間を１時間として、熱媒の測定温度が第２消火温度を上回る状態が所定期間継続しているか否かを判定するように構成してもよい。
【００４３】
暖房装置１０が非燃焼暖房運転を行っている間に、熱媒の温度が暖房設定温度よりも低いにも関わらず、暖房端末６０での放熱量とヒートポンプ２０の加熱量がつりあって、第１点火温度よりも高い温度で熱媒の温度が安定してしまうことがある。このような状態を低温安定状態ともいう。低温安定状態となってしまうと、暖房端末６０には暖房設定温度よりも低温の熱媒が供給され続けているにも関わらず、非燃焼暖房運転から燃焼暖房運転への切り換えが行われない状態になってしまう。そこで、本実施例の暖房装置１０では、熱媒の測定温度が第１点火温度まで低下していなくても、第１点火温度よりも高い第２点火温度を下回る状態が所定期間継続したときに、非燃焼暖房運転から燃焼暖房運転への切り換えを行う。このような構成とすることによって、低温安定状態を速やかに解消することができる。
【００４４】
なお、ステップＳ１０において、コントローラ１００が、第２点火温度と所定期間の複数の組み合わせを用いて、非燃焼暖房運転から燃焼暖房運転へ切り換えるか否かの判断を行ってもよい。この場合、第２点火温度が高いほど所定期間が長くなるように、第２点火温度と所定期間の複数の組み合わせを設定しておくことができる。例えば、ステップＳ１０において、コントローラ１００が、第２点火温度を暖房設定温度から５℃を減算した値とし、所定期間を３０分として、熱媒の測定温度が第２点火温度を下回る状態が所定期間継続しているか否かを判定し、さらに第２点火温度を暖房設定温度から３℃減算した値とし、所定期間を１時間として、熱媒の測定温度が第２点火温度を下回る状態が所定期間継続しているか否かを判定するように構成してもよい。
【００４５】
以上のように、本実施例の暖房装置１０は、熱媒の熱を利用して暖房する暖房端末６０と、ヒートポンプ２０を熱源として熱媒を加熱するヒートポンプユニット１２（第１加熱手段に相当する）と、燃焼装置５２を熱源として熱媒を加熱する燃焼ユニット５０（第２加熱手段に相当する）と、暖房端末６０とヒートポンプユニット１２と燃焼ユニット５０の間で熱媒を循環させる暖房用循環経路３２（熱媒循環路に相当する）と、暖房端末６０に流入する熱媒の温度を検出する第１熱媒温度センサ４０および第２熱媒温度センサ５６と、暖房設定温度を設定するリモコン（設定手段に相当する）と、コントローラ１００（制御手段に相当する）と、を備えている。コントローラ１００は、燃焼装置５２が停止しており、第１熱媒温度センサ４０での測定温度が暖房設定温度より低い第１点火温度以下である場合に、燃焼装置５２を作動させる。コントローラ１００は、燃焼装置５２が作動しており、第２熱媒温度センサ５６での測定温度が暖房設定温度より高い第１消火温度以上である場合に、燃焼装置５２を停止させる。コントローラ１００は、燃焼装置５２が作動しており、第２熱媒温度センサ５６での測定温度が第２消火温度を上回る状態が所定期間続いた場合に、燃焼装置５２を停止させる。第２消火温度は、暖房設定温度以上であって、第１消火温度よりも低い。
【００４６】
また、コントローラ１００はさらに、燃焼装置５２が停止しており、第１熱媒温度センサ４０での測定温度が第２点火温度を下回る状態が所定期間続いた場合に、燃焼装置５２を作動させる。第２点火温度は、暖房設定温度以下であって、第１点火温度よりも高い。
【００４７】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００４８】
本明細書または図面に説明した技術要素は、単独であるいは各種の組合せによって技術的有用性を発揮するものであり、出願時請求項記載の組合せに限定されるものではない。また本明細書または図面に例示した技術は複数目的を同時に達成し得るものであり、そのうちの一つの目的を達成すること自体で技術的有用性を持つものである。
【符号の説明】
【００４９】
１０：暖房装置
１２：ヒートポンプユニット
２０：ヒートポンプ
２２：蓄熱用循環経路
２４：蓄熱用ポンプ
３０：タンク
３２：暖房用循環経路
３２ａ：上流往路
３２ｂ：下流往路
３２ｃ：復路
３４：タンク温度センサ
３６：バイパス経路
３６ａ：合流位置
３６ｂ：分岐位置
３８：調整弁
４０：第１熱媒温度センサ
５０：燃焼ユニット
５２：燃焼装置
５２ａ：バーナ
５２ｂ：顕熱熱交換機
５２ｃ：潜熱熱交換機
５４：暖房用ポンプ
５６：第２熱媒温度センサ
６０：暖房端末
１００：コントローラ
【図１】
0006468814.tif 000002
【図２】
0006468814.tif 000003